(57)【要約】【課題】光ディスク装置のファンを用いない外気導入構造で、内部冷却の性能向上と効率化を図る。【解決手段】光ディスク装置１の筐体内部には、ディスク６の脱着のために移動可能なトレイ７と、中心部にディスクを回転させるディスク回転機構部１０と、中心から背面側にディスクの記録および再生を行うピックアップ１１とがあり、トレイは中央に開口１６をもち筐体を上下に区画する。筐体の背面側から見て右側隅部付近の背面や側面でトレイの下面からピックアップの下面近傍までの高さに外部空気の吸気用の第１の開口１２と、背面側から見て左側隅部付近の背面や側面でトレイの上面より上側に内部空気の排気用の第２の開口１３とを設ける。【選択図】  図１
2006323955.tif 000002
【特許請求の範囲】
【請求項１】
筐体と、前記筐体の前面から突き出し可能で、ディスクを上面に載置するトレイと、前記筐体内にあって前記トレイの上面近傍から下部に設けられ、ディスクを上部から見て右回りに回転させるディスク回転機構部と、前記トレイの下部に設けられ、前記ディスク回転機構部の回転軸より前記筐体の背面側で、前記筐体の前後方向に移動するピックアップと、を有し、
前記トレイは、前記ディスク回転機構部の回転軸近傍と前記ピックアップが移動する範囲に開口をもち前記筐体を上下に区画するほぼ矩形板状であり、前記筐体には、その背面側から見て少なくとも右側を含む背面あるいは前記ピックアップの前端より背面側となる右側の側面の範囲内であって、前記トレイの下面から前記ピックアップの下端近傍までの高さの範囲内に配置された第1の開口と、前記筐体の背面側から見て少なくとも左側を含む背面あるいは前記ピックアップの前端より背面側となる左側の側面の範囲内であって、前記トレイの上面より上部に配置された第2の開口とを設けたことを特徴とする光ディスク装置。
【請求項２】
前記筐体の内部に、前記トレイの下面から前記ピックアップの下端近傍までの高さの範囲内で前記第1の開口の内面の開口部から前記ピックアップの近傍まで延在する、前記第1の開口から入った外部空気を前記ピックアップの近傍へと導風する形状の吸気整流部材を設けたことを特徴とする請求項１に記載の光ディスク装置。
【請求項３】
前記筐体の内部で前記トレイの上面より上側の範囲に、ディスク回転により形成される内部空気の流れを前記第2の開口の内面の開口部へ導風する形状の排気整流部材を設けたことを特徴とする請求項１に記載の光ディスク装置。
【請求項４】
前記筐体の内部で前記トレイの上面より上側の範囲に、ディスク回転により形成される内部空気の流れを前記第2の開口の内面の開口部へ導風する形状の排気整流部材を設けたことを特徴とする請求項２に記載の光ディスク装置。
【請求項５】
前記吸気整流部材の前記ピックアップの近傍の排出側に、前記ピックアップとほぼ対向する範囲に限られた開口部をもち、かつ前記ピックアップと連動して移動する可動整流部材を設けたことを特徴とする請求項２または４のいずれかに記載の光ディスク装置。
【請求項６】
前記第1の開口あるいは前記第１の開口および前記第2の開口の両方に、防塵用のフィルターを設置したことを特徴とする請求項１ないし５のいずれかに記載の光ディスク装置。
【発明の詳細な説明】
【技術分野】
【０００１】
本発明は、ＣＤやＤＶＤ等の光ディスク媒体を駆動する光ディスク装置に関する。
【背景技術】
【０００２】
従来のタワー型やデスクトップ型パソコン用や家庭用録画機用の光ディスク装置で、冷却ファンを用いずに外部空気を導入して装置内部を冷却する構造とした例が、特許文献１および２に記載されている。特許文献１に記載の光ディスク装置では、装置外面を形成するカバー部材の装置パネルに対向する側の面（背面）内、好ましくはその上端部でディスクの回転方向側にある隅部に寄せた位置に設けた開口部から排気し、カバー部材を含む外装部品の合わせ面隙間から外気を装置内に吸入するようにしている。また、特許文献２に記載の光ディスク装置では、筐体と下部の隔壁とでディスク駆動機構を収容するディスク収容室を形成し、隔壁より下部の筐体の側面（前面・背面）の開口から外気を吸気し、案内路を経てディスクの回転中心付近にある隔壁の開口からディスク収容室に導き、筐体のディスク収容室の範囲となる側面（背面）の開口から空気を外部に排出するようにしている。
【０００３】
【特許文献１】特開２００３−１５１２５９号公報
【０００４】
【特許文献２】特開２００４−２４１０２４号公報
【発明の開示】
【発明が解決しようとする課題】
【０００５】
上記特許文献1も特許文献２も、ディスク装置内部全体の冷却については考慮されているものの、筐体内部で特に高温となるピックアップの冷却に関してはそれ程有効ではない。
【０００６】
本発明の目的は、光ディスク装置の特に高温となるピックアップを効率よく冷却することにある。本発明の他の目的は、冷却性能を保ちながら塵の侵入による悪影響を防止することにある。
【課題を解決するための手段】
【０００７】
上記課題を解決する本発明の特徴は、筐体と、筐体の前面から突き出し可能で、ディスクを上面に載置するトレイと、筐体内にあってトレイの上面近傍から下部に設けられ、ディスクを上部から見て右回りに回転させるディスク回転機構部と、トレイの下部に設けられ、ディスク回転機構部の回転軸より筐体の背面側で、筐体の前後方向に移動するピックアップと、を有し、
トレイは、ディスク回転機構部の回転軸近傍とピックアップが移動する範囲に開口をもち筐体を上下に区画するほぼ矩形板状であり、筐体には、その背面側から見て少なくとも右側を含む背面あるいはピックアップの前端より背面側となる右側の側面の範囲内であって、トレイの下面からピックアップの下端近傍までの高さの範囲内に配置された第1の開口と、筐体の背面側から見て少なくとも左側を含む背面あるいはピックアップの前端より背面側となる左側の側面の範囲内であって、トレイの上面より上部に配置された第2の開口とを設けていることである。
【０００８】
これにより、第1の開口が背面側から見て右側の隅部に近い背面や側面でトレイより下部にあるので、第1の開口から入った外部空気はトレイの上部に生じるディスクから背面側から見て左側の隅部に向かう内部空気の強い流れにトレイ中央の開口を通じて吸い出されるというように円滑に流れ、かつトレイの下部はどの部分も低圧でもあるため、吸気側の通風抵抗が小さくなる。また、第2の開口がトレイの上部で上記のディスクから背面側から見て左側の隅部に向かう内部空気の強い流れが集中する位置にあるため、排気側の通風抵抗も小さくなる。従って、吸気と排気用の開口を適切な位置に設けるという簡単な構成で、外気導入量を増やせ、結果として装置内部の冷却性能を向上できる。さらに、第1の開口が背面側から見て右側の隅部に近い背面や側面でトレイの下面からピックアップの下端近傍までの高さにあるので、吸い込まれた外部空気はディスクの回転中心に向かって水平ないし徐々に上向きに流れて大半がピックアップに達し、トレイ中央の開口への吸い出しで向きを大きく変えてトレイ上部に流入する。従って、簡単な構成で、導入した低温の外部空気をあまり分散させることなく特に高温となるピックアップの近傍に導いて吹き付けるという効率的な冷却ができる。
【発明の効果】
【０００９】
本発明によれば、冷却ファンがなくとも特に高温となるピックアップを効率よく冷却することができるようになる。
【発明を実施するための最良の形態】
【００１０】
以下、図を参照して本発明の実施の形態を説明する。  
【実施例１】
【００１１】
図１に、本発明に係わる光ディスク装置の一実施例の概略構造を、分解斜視図で示す。図２に図１で示した光ディスク装置の外観斜視図を、図３にそのトップカバーを除いた一部省略平面図を、図４に図３におけるＡ−Ａ断面図を、図５に図３におけるＢ−Ｂ断面図を示す。本実施例および以降の実施例では、主としてタワー型やデスクトップ型パソコンに搭載される形態の光ディスク装置１を取り上げて説明する。
【００１２】
光ディスク装置１は、筐体の上・側面がトップカバー２で、下面がボトムカバー３で、前面をフロントパネル４で、背面がメカブロック５（前・側面のやや内側にも延びた骨格をなす）で覆われ、筐体内部にはディスク６が載置されるトレイ７がやや上部に、信号処理および電源供給等を行う配線基板８が最下部に、それらの間に後述の各機構を備えるメカシャシー９が納められている。トレイ７はディスク６の脱着のため前面側に移動可能になっており、左右端面がメカブロック５に支持されるので筐体を上下に区画する構造となる。その内側の開口１６には、ディスク６を（一般に上部から見て右回り方向に）回転させるディスク回転機構部１０と、ディスク６の情報の記録・再生を（一般にディスク回転機構部付近から背面側に移動しながら）行うレーザ等の光学系をもつピックアップ１１とがメカシャシー９に固定される形で配置されている。ディスク回転機構部１０とピックアップ１１や移動・脱着のため各機構等は、筐体の最下部の配線基板８とフレキシブルプリント配線板（図示せず）により接続されて信号処理・電源供給が行われ、配線基板８からパソコンの内部配線へは筐体の背面下部の接続部品１４で接続されている。またパソコン実装状態では、光ディスク装置１の上・下面および左右の側面の前面から奥行き中央までの部分は、パソコン内部への固定部品でほぼ覆われる。ディスク６の記録・再生時には、光ディスク装置１内でピックアップ１１の光学系とディスク回転機構部１０および配線基板８が発熱し、特に高記録速度や記録枚数が多い条件では、最も発熱密度が大きいピックアップ１１でレーザ等の部品が保証温度以上になる可能性が出てくる。従って、光ディスク装置１の内部冷却では、内部全体を低温にする冷却性能の向上と共に、特に高温となるピックアップ１１の温度を大幅に下げる効率的な冷却が求められる。
【００１３】
この実施例では、外部空気１５ａの第１の開口１２を、筐体の背面側から見て右側の背面で内部のトレイ７下面からピックアップ１１下端近傍までの高さの範囲に設け、内部空気１５ｂの第２の開口１３を背面側から見て左側の背面で内部のトレイ７上面より上部に設けている。一般に、ディスク６への記録・再生時には、ディスク６がトレイ７よりやや上部で回転し周囲の内部空気１５ｂにも回転流を生じるので、トレイ７より上部の区画ではディスク６の外周側で高圧となると共にディスク６から背面側から見て左側の隅部に向かう内部空気１５ｂの強い流れが形成される。一方、トレイ７より下部の区画では、ディスク６周囲とはトレイ７の中央の開口１６で部分的に連通しているものの、開口１６がディスク６の内周から外周まで延びており幅も狭いために区画内は上部より低圧となる。また、上記のトレイ７上部の内部空気１５ｂの強い流れの影響により、開口１６の周辺に背面側から見て右側で上部に吸い出される流れ（ディスク内周寄り）と左側で上部から左側隅部寄りに漏れ込む循環内部空気１５ｂ‘の流れ（ディスク外周寄り）が形成されるものの、全体としては弱い流れしかできない。
【００１４】
第１の開口１２と第２の開口１３が上記のように設けられていると、まず吸気側では、外部空気１５ａが第１の開口１２からディスク６の回転中心に向かって水平ないし徐々に上向きに流れて大半がピックアップ１１に達するというようにあまり分散されることなく円滑に流れ、その部分で開口１６から上部に吸い出される流れにより向きを大きく変えてトレイ上部に流入し内部空気１５ｂと合流するというように流れる。このように第１の開口１２から開口１６への流れは円滑であり、トレイ７の下部は上部と区画されていて背面や側面は低圧であるため、吸気側の通風抵抗が小さくなる。また、導入した低温の外部空気１５ａを、あまり分散させることなく特に高温となるピックアップ１１の近傍に導き吹き付けることができる。一方、排気側では、第２の開口１３がトレイの上部のディスク６から左側の隅部に向かう内部空気１５ｂの強い流れが集中する位置にあるため、円滑に第２の開口１３から排出空気１５ｃとして流出させることができ、排気側の通風抵抗が小さくなる。従って、第１の開口１２と第２の開口１３を適切な位置に設けるという簡単な構成で、吸気・排気側の通風抵抗を小さくできるので外気導入量が増やせ、結果として装置内部の全体的な冷却性能を向上できる。また同時に、低温の外部空気１５ａをあまり分散させることなく特に高温となるピックアップ１１に集中できるので、効率的な冷却も達成される。なお、この実施例では、背面の中で第１の開口１２を背面側から見て右側、第２の開口１３を左側だけに配置したが、各々を中央や逆側に開口の幅を広げたり開口を追加したりしても、少なくとも上記の元々の位置での開口の作用・効果は同様に現れるので、装置内部の冷却に関しては同様な性能向上と効率化が得られる。
【実施例２】
【００１５】
本発明に係わる光ディスク装置の他の実施例を、図６〜図８を用いて説明する。図６は光ディスク装置の外観斜視図であり、図７は図６に示した光ディスク装置のトップカバーを除いた一部省略平面図、図８は図７におけるＣ−Ｃ断面図である。なおこれ以降の他の実施例でも共通に、光ディスク装置の各部品には第１の実施例と同じ番号を付けて示し、動作や構造の説明は第１の実施例と異なるものを主体に行うことにする。
【００１６】
この実施例では、外部空気１５ａの第１の開口１２が筐体の背面側から見て右側の隅部に近い側面で内部のトレイ７下面からピックアップ１１下端近傍までの高さの範囲に設けられ、内部空気１５ｂの第２の開口１３が背面側から見て左側の隅部に近い側面で内部のトレイ７上面より上側に設けている。既に説明した第１の実施例とは、第１の開口１２と第２の開口１３を背面側から見て各々同じ側の隅部に近い背面から側面に変えただけである。従って、装置内部の各部品との位置関係や元々形成される内部空気１５ｂ等の流れ状態に、第１の実施例と本質的な違いはなく、外気導入による装置の内部冷却の作用・効果は同様に得られると考えられる。以上から、この実施例でも、簡単な構成で外気導入量を増やして装置内部の冷却性能を向上させると共に、特に高温となる部品を効率よく冷却することができる。
【実施例３】
【００１７】
本発明に係わる光ディスク装置のさらに他の実施例を、図９および図１０を用いて説明する。図９は光ディスク装置のトップカバーを除いた一部省略平面図であり、図１０は図９におけるＤ−Ｄ断面図である。
【００１８】
この実施例では、第１の開口１２と第２の開口１３を第１の実施例と同様な位置に設けた上で、第１の開口１２の内面の開口部からピックアップ１１の近傍までダクト状に延びた吸気整流部材１７と、背面側から見て左側のトレイ７の上面とトップカバー２の内面の間にメカブロック５からディスク６の外周に延びた板状の排気整流部材１８とが追加されている。吸気整流部材１７はピックアップ１１の移動範囲に相当する側面が開口部となっているので、第１の開口１２から入った外部空気１５ａをほとんど分散させずに特に高温となるピックアップ１１の近傍へと導き吹き付けることができ、排気整流部材１８によりトレイ７の上部のディスク６から左側の隅部に向かう内部空気１５ｂの流れを、より円滑に第２の開口１３の内面の開口部に導くことができる。第１の開口１２と第２の開口１３による装置内部の冷却の作用・効果は第１の実施例と同様であり、追加した吸気整流部材１７と排気整流部材１８によりそれらは強化されることになる。従って、この実施例では、簡単な構成で外気導入量を増やして装置内部の冷却性能をさらに向上させると共に、特に高温となる部品をさらに効率よく冷却することができる。
【実施例４】
【００１９】
図１１は、本発明に係わる光ディスク装置のさらに他の実施例の、トップカバーを除き筐体の背面側から見て右側後半部分を示した一部省略部分平面図である。
【００２０】
この実施例では、第３の実施例と同様な構成で、第１の開口１２の筐体内側に延ばしたダクト状の吸気整流部材１７のピックアップ１１の移動範囲に相当する側面に、ピックアップ１１とほぼ対向する範囲に限られた開口部をもち、かつピックアップ１１と連動して移動する可動整流部材１９を追加している。このように吸気整流部材１７に可動整流部材１９を組み合わせることにより、第１の開口１２から入った低温の外部空気１５ａをほとんど分散させずに特に高温となるピックアップ１１の近傍へと導くと共に、そのほぼ全量をピックアップ１１がどの位置に移動していても確実に吹き付けることができるようになる。その結果、第３の実施例に比べ、特に高温となるピックアップ１１をより一層効率よく冷却することができる。その他の構成は第３の実施例と同様であることから、この実施例では、簡単な構成で外気導入量を増やして装置内部の冷却性能をさらに向上させると共に、特に高温となる部品をより一層効率よく冷却することができる。
【実施例５】
【００２１】
図１２は、本発明に係わる光ディスク装置のさらに他の実施例の外観斜視図である。
【００２２】
この実施例では、第１の実施例と同様に筐体の背面の右下に設けられた第１の開口１２と左上に設けられた第２の開口１３との外面の開口部に、防塵用のフィルター２０が付け加えられている。これらにより、第１の開口１２のフィルター２０では侵入の可能性が大きい装置稼動時の防塵が、第２の開口１３のフィルター２０では侵入量は少ないが装置停止時でも防塵ができるようになる。フィルター２０は不織布のような薄いもので除塵性能と通風抵抗のバランスがよいものが好ましいが、通風抵抗の増加を考慮して開口面積を調整すれば外気導入量を適正に確保できるので、第１の実施例と同様な装置の内部冷却に関する性能向上と効率化とが得られる。従って、この実施例では吸気・排気用の開口にフィルターを設置するという簡単な構成で、冷却性能を保ちながら塵の侵入による悪影響を防止できる。
【産業上の利用可能性】
【００２３】
本発明は、光ディスク装置に利用できる。
【図面の簡単な説明】
【００２４】
【図１】本発明に係わる光ディスク装置の一実施例の概略構造を示す分解斜視図である。
【図２】図１に示した光ディスク装置の外観斜視図である。
【図３】図１に示した光ディスク装置の一部省略平面図である。
【図４】図３のＡ−Ａ断面図である。
【図５】図３のＢ−Ｂ断面図である。
【図６】本発明に係わる光ディスク装置の他の実施例の外観斜視図である。
【図７】図６に示した光ディスク装置の一部省略平面図である。
【図８】図７のＣ−Ｃ断面図である。
【図９】本発明に係わる光ディスク装置のさらに他の実施例の一部省略平面図である。
【図１０】図９のＤ−Ｄ断面図である。
【図１１】本発明に係わる光ディスク装置のさらに他の実施例の一部省略部分平面図である。
【図１２】本発明に係わる光ディスク装置のさらに他の実施例の外観斜視図である。
【符号の説明】
【００２５】
６…ディスク、７…トレイ、１０…ディスク回転機構部、１１…ピックアップ、１２…第１の開口、１３…第２の開口、１５ａ・１５ｂ・１５ｂ‘・１５ｃ…外部空気・内部空気・循環内部空気・排出空気、１６…開口、１７…吸気整流部材、１８…排気整流部材、１９…可動整流部材、２０…フィルター。
【図１】
2006323955.tif 000003
【図２】
2006323955.tif 000004
【図３】
2006323955.tif 000005
【図４】
2006323955.tif 000006
【図５】
2006323955.tif 000007
【図６】
2006323955.tif 000008
【図７】
2006323955.tif 000009
【図８】
2006323955.tif 000010
【図９】
2006323955.tif 000011
【図１０】
2006323955.tif 000012
【図１１】
2006323955.tif 000013
【図１２】
2006323955.tif 000014